(57)【特許請求の範囲】
【請求項１】
顧客の顧客名および墓石ＩＤ，ならびに墓にまつられている故人の写真，動画または音声を記録する故人ファイルを含む顧客データベースと、
墓参の各種作法毎に作法の内容，各内容の代行実施料金およびバーチャル料金，ならびに作法アプレットを格納する作法データベースと、
墓参毎の各種作法の履歴，代行実施フラグ，および課金結果を格納する履歴データベースと、
顧客端末からインターネットを介してアクセスがあったときにバーチャル墓地ホームページを前記顧客端末に送信するホームページ送信手段と、
前記顧客端末から顧客名および墓石ＩＤを含む入墓地要求があったときに前記顧客データベースを検索して登録済みの顧客であるかどうかを確認する顧客確認手段と、
前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、
前記顧客端末に表示された墓参ページにおいて作法アイコンがクリックされたときに前記作法データベースを検索して該当する作法内容選択ページを前記顧客端末に送信する作法内容選択ページ送信手段と、
前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、
前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、
前記代行実施フラグがオンであれば前記履歴データに基づく墓参代行実施をインターネットを介して墓参代行業者端末に通知する墓参代行実施通知手段と
を含むことを特徴とするバーチャル墓地サーバ。
【請求項２】
顧客の顧客名および墓石ＩＤ，ならびに墓にまつられている故人の写真，動画または音声を記録する故人ファイルを含む顧客データベースと、
墓参の各種作法毎に作法の内容，各内容の代行実施料金およびバーチャル料金，ならびに作法アプレットを格納する作法データベースと、
墓参毎の各種作法の履歴，代行実施フラグ，および課金結果を格納する履歴データベースと、
顧客端末からインターネットを介してアクセスがあったときにバーチャル墓地ホームページを前記顧客端末に送信するホームページ送信手段と、
前記顧客端末から顧客名および墓石ＩＤを含む入墓地要求があったときに前記顧客データベースを検索して登録済みの顧客であるかどうかを確認する顧客確認手段と、
前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、
前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、
前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、
前記代行実施フラグがオンであれば前記履歴データに基づく墓参代行実施をインターネットを介して墓参代行業者端末に通知する墓参代行実施通知手段と
を含むことを特徴とするバーチャル墓地サーバ。
【請求項３】
顧客の顧客名および墓石ＩＤ，ならびに墓にまつられている故人の写真，動画または音声を記録する故人ファイルを含む顧客データベースと、
墓参の各種作法毎に作法の内容，各内容の代行実施料金およびバーチャル料金，ならびに作法アプレットを格納する作法データベースと、
墓参毎の各種作法の履歴，代行実施フラグ，および課金結果を格納する履歴データベースと、
顧客端末からインターネットを介してアクセスがあったときにバーチャル墓地ホームページを前記顧客端末に送信するホームページ送信手段と、
前記顧客端末から顧客名および墓石ＩＤを含む入墓地要求があったときに前記顧客データベースを検索して登録済みの顧客であるかどうかを確認する顧客確認手段と、
前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、
前記顧客端末に表示された墓参ページにおいて作法アイコンがクリックされたときに前記作法データベースを検索して該当する作法内容選択ページを前記顧客端末に送信する作法内容選択ページ送信手段と、
前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、
前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、
前記代行実施フラグがオンであれば前記履歴データに基づく墓参代行実施をインターネットを介して墓参代行業者端末に通知する墓参代行実施通知手段と、
前記履歴データベースを参照してインターネットに接続された決済機関と課金の決済を行う決済手段と
を含むことを特徴とするバーチャル墓地サーバ。
【請求項４】
顧客の顧客名および墓石ＩＤ，ならびに墓にまつられている故人の写真，動画または音声を記録する故人ファイルを含む顧客データベースと、
墓参の各種作法毎に作法の内容，各内容の代行実施料金およびバーチャル料金，ならびに作法アプレットを格納する作法データベースと、
墓参毎の各種作法の履歴，代行実施フラグ，および課金結果を格納する履歴データベースと、
顧客端末からインターネットを介してアクセスがあったときにバーチャル墓地ホームページを前記顧客端末に送信するホームページ送信手段と、
前記顧客端末から顧客名および墓石ＩＤを含む入墓地要求があったときに前記顧客データベースを検索して登録済みの顧客であるかどうかを確認する顧客確認手段と、
前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、
前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、
前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、
前記代行実施フラグがオンであれば前記履歴データに基づく墓参代行実施をインターネットを介して墓参代行業者端末に通知する墓参代行実施通知手段と、
前記履歴データベースを参照してインターネットに接続された決済機関と課金の決済を行う決済手段と
を含むことを特徴とするバーチャル墓地サーバ。
【請求項５】
前記墓参代行実施通知手段が、前記顧客端末でのバーチャル墓参の終了に同期して墓参代行実施を前記墓参代行業者端末に通知する請求項１，請求項２，請求項３または請求項４記載のバーチャル墓地サーバ。
【請求項６】
前記墓参代行実施通知手段が、定期的に墓参代行実施を前記墓参代行業者端末に通知する請求項１，請求項２，請求項３または請求項４記載のバーチャル墓地サーバ。
【請求項７】
前記各種作法が、墓掃除，焼香，御供え，読経および遺影の少なくとも１つを含む請求項１，請求項２，請求項３または請求項４記載のバーチャル墓地サーバ。
【請求項８】
コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、前記顧客端末に表示された墓参ページにおいて作法アイコンがクリックされたときに前記作法データベースを検索して該当する作法内容選択ページを前記顧客端末に送信する作法内容選択ページ送信手段と、前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段として機能させるためのプログラム。
【請求項９】
コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段として機能させるためのプログラム。
【請求項１０】
コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、前記顧客端末に表示された墓参ページにおいて作法アイコンがクリックされたときに前記作法データベースを検索して該当する作法内容選択ページを前記顧客端末に送信する作法内容選択ページ送信手段と、前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段と、前記履歴データベースを参照してインターネットに接続された決済機関と課金の決済を行う決済手段として機能させるためのプログラム。
【請求項１１】
コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段と、前記履歴データベースを参照してインターネットに接続された決済機関と課金の決済を行う決済手段として機能させるためのプログラム。
【発明の詳細な説明】
【０００１】
【発明の属する技術分野】
本発明はバーチャル墓地サーバおよびプログラムに関し、特にインターネットを利用したバーチャル墓地サーバおよびプログラムに関する。
【０００２】
【従来の技術】
古来から祖先や故人をまつるために墓が建てられているが、遺族により定期的に行われる墓参の手間，労力等は少なくなかった。そこで、このような墓参の手間，労力等の一部を軽減するようにした墓参システムの一例が、特開平１０−１０５６１５号公報に開示されている。この墓参システムは、故人データ，家系データ等の墓参時に必要となる各情報を記憶手段に記憶しておき、一定条件下で読み出して表示手段に表示できるようにしたものである。また、墓石のイメージ，故人の音声，読経等のマルチメディアデータをも保存しておき、一定条件下で読み出して見ることができるようにしたものである。
【０００３】
しかし、この従来の墓参システムは、基本的には菩提寺，霊園等において保管されている紙記録情報等をコンピュータシステムに載せたにしか過ぎないものであり、墓参時に最も手間や労力を要する墓地への往復移動の問題を解決していなかった。特に、墓地が遺族の住居地から遠く離れた場所にある場合、墓地への往復の時間，移動費用等がかかり、遺族の墓参による負担がきわめて大きくなるという問題を解決することはできなかった。
【０００４】
また、紙記録情報等をコンピュータシステムに載せることは墓地を管理する寺院，霊園等にとって事務の合理化にはなるものの、それだけではコンピュータシステムを導入することに対するインセンティブにはなりにくいという問題があった。
【０００５】
そこで、本願出願人は、これらの問題を一挙に解決するために、「バーチャル墓参システム」についてすでに提案した（特願２０００−２２１９２７，および特願２０００−２４２６４５参照）。
【０００６】
このバーチャル墓参システムは、墓石イメージを蓄積するバーチャル墓地サーバと、バーチャル墓地サーバにインターネットを介して接続された顧客端末とを備え、顧客端末からインターネットを介してバーチャル墓地サーバにアクセスすることにより、顧客端末に所望の墓石イメージを表示してバーチャルに墓参することができるようにしたものである。
【０００７】
【発明が解決しようとする課題】
しかし、上述したバーチャル墓参システムでは、顧客が顧客端末にてバーチャルに墓参を行うだけの場合と、バーチャルな墓参の後にさらに墓参の代行実施を墓参代行業者等に依頼する場合との切り分けを明示的に行うことができるようになっていなかったので、命日，盆，彼岸等の重要な日には墓参代行実施を選択し、それほど重要でない日にはバーチャル墓参を選択するというように、重要度に応じて墓参代行実施とバーチャル墓参とを使い分けることができないという課題があった。
【０００８】
また、顧客が墓参代行業者等を指定できるようになっていなかったので、顧客は自らが信頼する墓参代行業者等に墓参代行実施を依頼することができないという課題があった。
【０００９】
さらに、バーチャル墓地サーバの管理者と墓参代行業者等とが密接な関係にあることが前提となっており、バーチャル墓地サーバの管理者が墓参代行業者等として広い範囲に点在する墓地に自らが赴いて墓参を代行実施する必要があるという課題があった。
【００１０】
さらにまた、墓参代行業者等はバーチャル墓地サーバの履歴データベースを定期的に参照して墓参代行実施が記録されていれば墓参代行実施を行うようにしていたので、バーチャル墓参とその墓参代行実施との間に時間がかかり、墓参を迅速に代行実施することができないという課題があった。
【００１１】
本発明の第１の目的は、上述の点に鑑み、顧客が墓参日の重要度に応じて墓参代行実施とバーチャル墓参とを使い分けることができるようにしたバーチャル墓地サーバを提供することにある。
【００１２】
また、本発明の第２の目的は、顧客が墓参代行実施業者等を事前に指定できるようにしたバーチャル墓地サーバを提供することにある。
【００１３】
さらに、本発明の第３の目的は、墓参代行実施通知手段を設け、墓参ページ上で墓参代行実施が選択されていた場合には墓参代行実施をインターネットを介して墓参代行業者端末に通知するようにしたバーチャル墓地サーバを提供することにある。
【００１４】
さらにまた、本発明の第４の目的は、上記バーチャル墓地サーバを実現するプログラムを提供することにある。
【００１９】
【課題を解決するための手段】
本発明のバーチャル墓地サーバは、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、前記顧客端末に表示された墓参ページにおいて作法アイコンがクリックされたときに前記作法データベースを検索して該当する作法内容選択ページを前記顧客端末に送信する作法内容選択ページ送信手段と、前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段とを含むことを特徴とする。
【００２０】
また、本発明のバーチャル墓地サーバは、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段とを含むことを特徴とする。
【００２１】
さらに、本発明のバーチャル墓地サーバは、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、前記顧客端末に表示された墓参ページにおいて作法アイコンがクリックされたときに前記作法データベースを検索して該当する作法内容選択ページを前記顧客端末に送信する作法内容選択ページ送信手段と、前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段と、前記履歴データベースを参照してインターネットに接続された決済機関と課金の決済を行う決済手段とを含むことを特徴とする。
【００２２】
さらにまた、本発明のバーチャル墓地サーバは、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段と、前記履歴データベースを参照してインターネットに接続された決済機関と課金の決済を行う決済手段とを含むことを特徴とする。
【００２３】
また、本発明のバーチャル墓地サーバは、前記墓参代行実施通知手段が、前記顧客端末でのバーチャル墓参の終了に同期して墓参代行実施を前記墓参代行業者端末に通知することを特徴とする。
【００２４】
さらに、本発明のバーチャル墓地サーバは、前記墓参代行実施通知手段が、定期的に墓参代行実施を前記墓参代行業者端末に通知することを特徴とする。
【００２５】
さらにまた、本発明のバーチャル墓地サーバは、前記各種作法が、墓掃除，焼香，御供え，読経および遺影の少なくとも１つを含むことを特徴とする。
【００２６】
他方、本発明のプログラムは、コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、前記顧客端末に表示された墓参ページにおいて作法アイコンがクリックされたときに前記作法データベースを検索して該当する作法内容選択ページを前記顧客端末に送信する作法内容選択ページ送信手段と、前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段として機能させる。
【００２７】
また、本発明のプログラムは、コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段として機能させる。
【００２８】
さらに、本発明のプログラムは、コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法アイコン，および代行実施／バーチャル選択ボタンを含む墓参ページを前記顧客端末に送信する墓参ページ送信手段と、前記顧客端末に表示された墓参ページにおいて作法アイコンがクリックされたときに前記作法データベースを検索して該当する作法内容選択ページを前記顧客端末に送信する作法内容選択ページ送信手段と、前記顧客端末に表示された作法内容選択ページにおいて作法内容が選択されたときに前記墓参ページに選択された作法の内容を付加するように前記作法データベースを検索して該当する作法アプレットを前記顧客端末に送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段と、前記履歴データベースを参照してインターネットに接続された決済機関と課金の決済を行う決済手段として機能させる。
【００２９】
さらにまた、本発明のプログラムは、コンピュータを、顧客の顧客名および墓石ＩＤ，ならびに墓にまつられている故人の写真，動画または音声を記録する故人ファイルを含む顧客データベースと、墓参の各種作法毎に作法の内容，各内容の代行実施料金およびバーチャル料金，ならびに作法アプレットを格納する作法データベースと、墓参毎の各種作法の履歴，代行実施フラグ，および課金結果を格納する履歴データベースと、顧客端末からインターネットを介してアクセスがあったときにバーチャル墓地ホームページを前記顧客端末に送信するホームページ送信手段と、前記顧客端末から顧客名および墓石ＩＤを含む入墓地要求があったときに前記顧客データベースを検索して登録済みの顧客であるかどうかを確認する顧客確認手段と、前記顧客確認手段で登録済みの顧客であると確認されたときに前記顧客データベースを検索して該当する墓石イメージ，各種作法選択ボタン，および代行実施／バーチャル選択ボタンを含む墓参ページを前記顧客端末に送信する墓参ページ送信手段と、前記顧客端末に表示された墓参ページにおいて前記作法選択ボタンで各種作法の内容が選択されて開始要求が入力されたときに前記墓参ページに選択された各種作法の内容を付加するように前記作法データベースを検索して該当する各種作法アプレットを前記顧客端末に一括送信する作法アプレット送信手段と、前記作法アプレット送信手段による作法アプレットの送信時に前記作法データベースを参照して課金結果を含む履歴データを前記履歴データベースに記録するとともに、前記顧客端末での各種作法アプレットの実行時に前記代行実施／バーチャル選択ボタンの選択に基づき前記代行実施フラグを前記履歴データベースに設定する履歴データ記録手段と、前記代行実施フラグがオンであれば前記履歴データに基づく墓参代行実施をインターネットを介して墓参代行業者端末に通知する墓参代行実施通知手段と、前記履歴データベースを参照してインターネットに接続された決済機関と課金の決済を行う決済手段として機能させる。
【００３０】
【発明の実施の形態】
以下、本発明の実施の形態について図面を参照して詳細に説明する。
【００３１】
（１）第１の実施の形態
図１は、本発明の第１の実施の形態に係るバーチャル墓参システムの全体構成を示すブロック図である。本実施の形態に係るバーチャル墓参システムは、バーチャル墓地サーバ１と、バーチャル墓地サーバ１にインターネット２を介して接続された１台以上の顧客端末３と、バーチャル墓地サーバ１に接続された顧客データベース４，作法データベース５および履歴データベース６と、バーチャル墓地サーバ１にインターネット２を介して接続された１台以上の墓参代行業者端末７から、その主要部が構成されている。
【００３２】
バーチャル墓地サーバ１は、寺院，霊園，墓参代行業者等がバーチャル墓地を管理するためのサーバコンピュータであり、インターネット２に接続されてさえいれば、その設置場所等は問わない。特に図示しなかったが、バーチャル墓地サーバ１に、ネットワークオペレーティングシステム，Ｗｅｂアプリケーションサーバプログラム，データベースマネジメントシステム等が搭載されていることはいうまでもない。
【００３３】
バーチャル墓地サーバ１は、顧客端末３からインターネット２を介してアクセスがあったときにバーチャル墓地ホームページを顧客端末３に送信するホームページ送信手段１０と、顧客端末３から顧客名および墓石ＩＤを含む入墓地要求があったときに顧客データベース４を検索して登録済みの顧客であるかどうかを確認する顧客確認手段１１と、顧客確認手段１１で登録済みの顧客であると確認されたときに顧客データベース４を検索して該当する墓石イメージ，各種作法アイコン，および代行実施／バーチャル選択ボタンを含む墓参ページを顧客端末３に送信する墓参ページ送信手段１２と、顧客端末３に表示された墓参ページにおいて作法アイコンがクリックされたときに作法データベース５を検索して該当する作法内容選択ページを顧客端末３に送信する作法内容選択ページ送信手段１３と、顧客端末３に表示された作法内容選択ページにおいて作法内容が選択されたときに墓参ページに選択された作法の内容を付加するように作法データベース５を検索して該当する作法アプレットを顧客端末３に送信する作法アプレット送信手段１４と、作法アプレット送信手段１４による作法アプレットの送信時に作法データベース５を参照して課金結果を含む履歴データを履歴データベース６に記録するとともに、顧客端末３での各種作法アプレットの実行時に代行実施／バーチャル選択ボタンの選択に基づき代行実施フラグを履歴データベース６に設定する履歴データ記録手段１５と、代行実施フラグがオンであれば履歴データに基づく墓参代行実施を電子メール（インスタントメッセージ等の他の通信文を含む。以下同様）によりインターネット２を介して墓参代行業者端末７に通知する墓参代行実施通知手段１６とを含んで構成されている。
【００３４】
顧客端末３は、ブラウザが搭載されインターネット２に接続された端末装置であればどのようなものでもよく、パーソナルコンピュータ，ゲーム機，情報家電，携帯情報端末，携帯電話機等の各種情報機器が含まれる。なお、ブラウザ以外の専用アプリケーションプログラムは特に必要としない。
【００３５】
墓参代行業者端末７は、顧客端末３と同様に、ブラウザが搭載されインターネット２に接続された端末装置であればどのようなものでもよく、パーソナルコンピュータ，ゲーム機，情報家電，携帯情報端末，携帯電話機等の各種情報機器が含まれる。なお、ブラウザ以外の専用アプリケーションプログラムは特に必要としない。
【００３６】
図２は、バーチャル墓地サーバ１にアクセスしたときに顧客端末３に表示されるバーチャル墓地ホームページの一例を表す画面図である。このバーチャル墓地ホームページには、顧客名を入力するフィールドと、墓石識別子（以下、墓石ＩＤと略記する）を入力するフィールドと、「入る」アイコンと、「出る」アイコンとが設けられている。なお、入墓地料が課金されることが表示されている。
【００３７】
図３は、顧客が図２に示すバーチャル墓地ホームページにおいて顧客名および墓石ＩＤを入力してから「入る」アイコンをクリックしたときに顧客端末３に表示される墓参ページの一例を表す画面図である。この墓参ページには、墓石イメージと、墓掃除アイコンと、焼香アイコンと、御供えアイコンと、読経アイコンと、遺影アイコンと、墓参代行実施またはバーチャル墓参を選択するためのラジオボタン（以下、代行実施／バーチャル選択ボタンという）と、作法アプレットの実行開始を指示する開始アイコンと、墓参の終了を指示する終了アイコンとが設けられている。墓石イメージは、墓石の実写イメージばかりでなく、コンピュータグラフィックで作成されたイメージでもよく、さらにはビデオ映像等の動画であってもよい。また、３次元描画技術を使って、墓石を顧客の操作に応じて全方位方向に回転可能とするようにしてもよい。なお、墓掃除，焼香，御供え，読経，および遺影は、墓参の際に実施される供養行為を表しており、以下、作法と総称することにする。
【００３８】
図４は、顧客が墓参ページにおいて墓掃除アイコンをクリックしたときに顧客端末３に表示される墓掃除内容選択ページの一例を表す画面図である。この墓掃除内容選択ページには、水掃除，茶掃除，酒掃除の各内容と、各内容の代行実施料金およびバーチャル料金と、各内容の選択アイコンと、「戻る」アイコンとが設けられている。なお、水掃除は水のみで掃除することを意味し、茶掃除はお茶の入った水で掃除することを意味し、酒掃除はお酒の入った水で掃除することを意味する。
【００３９】
図５は、顧客が墓参ページにおいて焼香アイコンをクリックしたときに顧客端末３に表示される焼香内容選択ページの一例を表す画面図である。この焼香内容選択ページには、線香，線香・蝋燭，線香・蝋燭・お香の各内容と、各内容の代行実施料金およびバーチャル料金と、各内容の選択アイコンと、「戻る」アイコンとが設けられている。
【００４０】
図６は、顧客が墓参ページにおいて御供えアイコンをクリックしたときに顧客端末３に表示される御供え内容選択ページの一例を表す画面図である。この御供え内容選択ページには、お花，お花・果物，お花・果物・菓子の各内容と、各内容の代行実施料金およびバーチャル料金と、各内容の選択アイコンと、「戻る」アイコンとが設けられている。
【００４１】
図７は、顧客が墓参ページにおいて読経アイコンをクリックしたときに顧客端末３に表示される読経内容選択ページの一例を表す画面図である。この読経内容選択ページには、読経，読経・法話，読経・法話・法楽の各内容と、各内容の代行実施料金およびバーチャル料金と、各内容の選択アイコンと、「戻る」アイコンとが設けられている。
【００４２】
図８は、顧客が墓参ページにおいて遺影アイコンをクリックしたときに顧客端末３に表示される遺影内容選択ページの一例を表す画面図である。この遺影内容選択ページには、墓にまつられている故人の名前と、各故人の写真，動画，音声，「他」の選択アイコンと、「戻る」アイコンとが設けられている。「他」の選択アイコンは、故人に関連して蓄積された「他」の情報を参照するためのものであり、「他」の情報としては、遺言，履歴書（自伝，功績，病歴），遺伝子情報（ＤＮＡ（ＤｅｏｘｙｒｉｂｏＮｎｕｃｌｅｉｃ  Ａｃｉｄ）情報，精子，卵子等の貯託番号）等を参照することが可能である。
【００４３】
図９は、顧客が墓参ページにおいて各種作法アイコンで各種作法を選択した後の墓参ページの一例を表す画面図である。図３に示した墓参ページに対して、柄杓，線香，蝋燭，御供え，および読経（僧侶の後姿）のイメージが付加され、さらに故人の遺影等を表示するウィンドウ（遺影ウィンドウ）が開かれている。なお、代行実施／バーチャル選択ボタンでは、代行実施が選択されている。
【００４４】
図１０を参照すると、顧客データベース４は、顧客名，墓石ＩＤ，住所，電子メールアドレス，墓石イメージ（またはそれを格納するファイルの名称，ポインタ等），事前に指定された墓参代行業者のメールアドレス，故人ファイルへのポインタ等からなる顧客レコードを複数蓄積している。故人ファイルへのポインタは、それぞれ故人ファイル４１を指示している。なお、顧客データベース４への顧客データの登録は、顧客からの事前の申し込みに基づいて、寺院，霊園，墓参代行業者等のみが行えるようになっている。これは、顧客端末３側からの不正アクセスによって顧客データベース４の顧客データが不当に書き換えられないようにするためである。また、バーチャル墓地への加入料，事務手数料の徴収を確実に行えるという利点もある。
【００４５】
故人ファイル４１には、図１１に例示するように、墓にまつられている各故人の名前，写真，動画，音声，および「他」の情報が格納されている。なお、写真，動画，音声は、それ自体ではなく、その名前またはその実体へのポインタが格納されていてもよい。「他」の情報については、図８の説明で既述した。
【００４６】
作法データベース５には、図１２に例示するように、墓掃除ファイル５１，焼香ファイル５２，御供えファイル５３，および読経ファイル５４の各種作法ファイルが格納されている。
【００４７】
図１３を参照すると、墓掃除ファイル５１は、墓掃除の各内容，各内容の代行実施料金およびバーチャル料金，ならびに各内容を顧客端末３上で実行する小さなプログラム（以下、作法アプレットという）からなる複数のレコードを格納している。作法アプレットは、Ｊａｖａ（サンマイクロシステムズ社の登録商標）等のハードウェア依存性のないオブジェクト指向言語で作成されることが望ましい。なお、作法アプレットは、それ自体ではなく、その名前またはその実体へのポインタが格納されていてもよい（以下同様）。
【００４８】
図１４を参照すると、焼香ファイル５２は、焼香の各内容，各内容の代行実施料金およびバーチャル料金，ならびに各内容の作法アプレットからなる複数のレコードを格納している。
【００４９】
図１５を参照すると、御供えファイル５３は、御供えの各内容，各内容の代行実施料金およびバーチャル料金，ならびに各内容の作法アプレットからなる複数のレコードを格納している。
【００５０】
図１６を参照すると、読経ファイル５４は、読経の各内容，各内容の代行実施料金およびバーチャル料金，ならびに各内容の作法アプレットからなる複数のレコードを格納している。
【００５１】
図１７を参照すると、履歴データベース６には、顧客名，墓石ＩＤ，年月日，代行実施フラグ，墓掃除，焼香，御供え，遺影，および課金合計の各フィールドからなる履歴レコードが蓄積される。なお、各種作法のフィールドは、作法アプレットを送信した作法内容に対応するビットがオンにされる。
【００５２】
図１８を参照すると、バーチャル墓地サーバ１における処理は、アクセス判定ステップＳ１０１と、バーチャル墓地ホームページ送信ステップＳ１０２と、入墓地要求判定ステップＳ１０３と、登録済顧客確認ステップＳ１０４と、履歴レコード作成・記録ステップＳ１０５と、墓参ページ作成・送信ステップＳ１０６と、終了要求判定ステップＳ１０７と、作法内容要求判定ステップＳ１０８と、作法内容選択ページ送信ステップＳ１０９と、選択要求判定ステップＳ１１０と、作法アプレット送信ステップＳ１１１と、履歴レコード更新ステップＳ１１２と、代行実施判定ステップＳ１１４と、墓参代行実施通知送信ステップＳ１１５と、バーチャル墓地ホームページ送信ステップＳ１１６と、出墓地要求判定ステップＳ１１７とからなる。
【００５３】
次に、このように構成された第１の実施の形態に係るバーチャル墓参システムの動作について説明する。
【００５４】
バーチャル墓参システムを利用してバーチャルに墓参を行う場合、顧客は、顧客端末３からインターネット２を介してバーチャル墓地サーバ１にアクセスする。
【００５５】
バーチャル墓地サーバ１は、顧客端末３からアクセスがあると（ステップＳ１０１）、ホームページ送信手段１０により図２に示すバーチャル墓地ホームページをアクセス元の顧客端末３に送信する（ステップＳ１０２）。以下、特に断らない限り、顧客端末３とは、アクセス元の顧客端末３を指すこととする。
【００５６】
顧客端末３に表示されたバーチャル墓地ホームページを見て、顧客が顧客名および墓石ＩＤを入力して、「入る」アイコンをクリックすると、顧客名および墓石ＩＤを含む入墓地要求がバーチャル墓地サーバ１に送信される。
【００５７】
バーチャル墓地サーバ１は、顧客端末３から顧客名および墓石ＩＤを含む入墓地要求が送信されてくると（ステップＳ１０３）、顧客確認手段１１により、顧客名および墓石ＩＤで顧客データベース４を検索してあらかじめ登録された顧客および墓石であるかどうかを確認する（ステップＳ１０４）。あらかじめ登録された顧客および墓石でなければ、バーチャル墓地サーバ１は、入墓地を拒否して処理を終了する。一方、あらかじめ登録された顧客および墓石であれば、バーチャル墓地サーバ１は、履歴レコードを作成し入墓地料を課金してから履歴データベース６に記録する（ステップＳ１０５）。なお、入墓地料を課金するのは、後述する墓参ページを見ただけで、墓参のための何らの作法も行わずに墓地を出る顧客に対してもそれなりの利用負担をしてもらうためである。
【００５８】
次に、バーチャル墓地サーバ１は、墓石ページ送信手段１２により、顧客データベース４から墓石イメージを取得し、図３に示す墓参ページを作成して顧客端末３に送信する（ステップＳ１０６）。
【００５９】
顧客端末３に表示された墓参ページを見て、顧客が墓掃除アイコンをクリックすると、墓掃除の作法内容要求がバーチャル墓地サーバ１に通知される。
【００６０】
バーチャル墓地サーバ１は、顧客端末３から墓掃除の作法内容要求が通知されてくると（ステップＳ１０８）、図４に示す墓掃除内容選択ページを顧客端末３に送信する（ステップＳ１０９）。
【００６１】
顧客端末３に表示された墓掃除内容選択ページを見て、顧客が該当する選択アイコンをクリックすると、選択された墓掃除内容の選択要求がバーチャル墓地サーバ１に通知される。
【００６２】
バーチャル墓地サーバ１は、顧客端末３から墓掃除内容の選択要求が通知されてくると（ステップＳ１１０）、図９中に示すような柄杓のイメージを墓石イメージ上に表示して墓掃除の一連の動作を模擬する作法アプレットを顧客端末３に送信し（ステップＳ１１１）、履歴データベース６の履歴レコードを作法アプレットの送信および課金を反映するように更新する（ステップＳ１１２）。
【００６３】
顧客端末３に表示された墓参ページを見て、顧客が焼香アイコンをクリックすると、焼香の作法内容要求がバーチャル墓地サーバ１に通知される。
【００６４】
バーチャル墓地サーバ１は、顧客端末３から焼香の作法内容要求が通知されてくると（ステップＳ１０８）、図５に示す焼香内容選択ページを顧客端末３に送信する（ステップＳ１０９）。
【００６５】
顧客端末３に表示された焼香内容選択ページを見て、顧客が該当する選択アイコンをクリックすると、選択された焼香内容の選択要求がバーチャル墓地サーバ１に通知される。
【００６６】
バーチャル墓地サーバ１は、顧客端末３から焼香内容の選択要求が通知されてくると（ステップＳ１１０）、図９中に示すようなろうそく，線香，お香等のイメージを墓石イメージ上に表示して焼香の一連の動作を模擬する作法アプレットを顧客端末３に送信し（ステップＳ１１１）、履歴データベース６の履歴レコードを作法アプレットの送信および課金を反映するように更新する（ステップＳ１１２）。
【００６７】
顧客端末３に表示された墓参ページを見て、顧客が御供えアイコンをクリックすると、御供えの作法内容要求がバーチャル墓地サーバ１に通知される。
【００６８】
バーチャル墓地サーバ１は、顧客端末３から御供えの作法内容要求が通知されてくると（ステップＳ１０８）、図６に示す御供え内容選択ページを顧客端末３に送信する（ステップＳ１０９）。
【００６９】
顧客端末３に表示された御供え内容選択ページを見て、顧客が該当する選択アイコンをクリックすると、選択された御供え内容の選択要求がバーチャル墓地サーバ１に通知される。
【００７０】
バーチャル墓地サーバ１は、顧客端末３から御供えの内容が通知されてくると（ステップＳ１１０）、図９中に示すような御供えのイメージを墓石イメージ上に表示して御供えの一連の動作を模擬する作法アプレットを顧客端末３に送信し（ステップＳ１１１）、履歴データベース６の履歴レコードを作法アプレットの送信および課金を反映するように更新する（ステップＳ１１２）。
【００７１】
顧客端末３に表示された墓参ページを見て、顧客が読経アイコンをクリックすると、読経の作法内容要求がバーチャル墓地サーバ１に通知される。
【００７２】
バーチャル墓地サーバ１は、顧客端末３から読経の作法内容要求が通知されてくると（ステップＳ１０８）、図７に示す読経内容選択ページを顧客端末３に送信する（ステップＳ１０９）。
【００７３】
顧客端末３に表示された読経内容選択ページを見て、顧客が該当する選択アイコンをクリックすると、選択された読経内容の選択要求がバーチャル墓地サーバ１に通知される。
【００７４】
バーチャル墓地サーバ１は、顧客端末３から読経内容の選択要求が通知されてくると（ステップＳ１１０）、図９中に示すような読経のイメージ（僧侶の後姿）を墓石イメージ上に表示して読経の一連の動作を模擬する作法アプレットを顧客端末３に送信し（ステップＳ１１１）、履歴データベース６の履歴レコードを作法アプレットの送信および課金を反映するように更新する（ステップＳ１１２）。
【００７５】
顧客端末３に表示された墓参ページを見て、顧客が遺影アイコンをクリックすると、遺影の作法内容要求がバーチャル墓地サーバ１に通知される。
【００７６】
バーチャル墓地サーバ１は、顧客端末３から遺影の作法内容要求が通知されてくると（ステップＳ１０８）、図８に示す遺影内容選択ページを顧客端末３に送信する（ステップＳ１０９）。
【００７７】
顧客端末３に表示された遺影内容選択ページを見て、顧客が該当する選択アイコンをクリックすると、選択された遺影内容の選択要求がバーチャル墓地サーバ１に通知される。
【００７８】
バーチャル墓地サーバ１は、顧客端末３から遺影内容の選択要求が通知されてくると（ステップＳ１１０）、図９中に示すような故人の遺影イメージ（写真または動画）を表示するウィンドウ（遺影ウィンドウ）を墓石イメージ上に開く、または音声データを再生するような動作を模擬する作法アプレットを顧客端末３に送信し（ステップＳ１１１）、履歴データベース６の履歴レコードを作法アプレットの送信（および課金）を反映するように更新する（ステップＳ１１２）。
【００７９】
顧客が実行しようとする１つ以上の作法アイコンをクリックして墓参りのための各種作法の準備が整った後、顧客端末３に表示された墓参ページ（図９参照）を見て、顧客が開始アイコンをクリックすると、顧客端末３上で各種作法アプレットが順次起動され、墓の掃除，焼香，御供え，読経等の各種作法が順次実行される。この間、遺影の内容が動画であれば、遺影ウィンドウでは動画データが再生される。また、遺影の内容が音声であれば、音声データが再生される。そして、起動すべき各種作法アプレットがなくなると、顧客端末３は各種作法アプレットの起動を終了する
【００８０】
墓参ための各種作法アプレットの実行が終了した後、顧客が顧客端末３に表示された墓参ページ（図９参照）の終了アイコンをクリックすると、代行実施／バーチャル選択ボタンにより選択されたフラグ（代行実施フラグ）を含む終了要求がバーチャル墓地サーバ１に通知される。なお、代行実施フラグは、代行実施が選択された場合にオン、代行実施が選択されなかった場合にオフであるものとする。
【００８１】
顧客端末３から代行実施フラグを含む終了要求の通知があると（ステップＳ１０７）、バーチャル墓地サーバ１は、履歴データベース６の該当レコードを参照して代行実施フラグがオンであるかどうかを判定し（ステップＳ１１４）、代行実施フラグがオンであれば、履歴データベース６の該当レコードに基づいて墓参代行実施通知を作成し、この墓参代行実施通知を電子メールで顧客データベース４の該当レコードのあらかじめ指定された墓参代行業者の電子メールアドレス宛てにインターネット２を介して送信する（ステップＳ１１５）。代行実施フラグがオフであれば、ステップＳ１１５をスキップする。
【００８２】
次に、バーチャル墓地サーバ１は、図２に示すバーチャル墓地ホームページを顧客端末３に送信する（ステップＳ１１６）。
【００８３】
顧客が顧客端末３に表示されたバーチャル墓地ホームページの「出る」アイコンをクリックすると、顧客端末３からバーチャル墓地サーバ１に出墓地要求が通知される。
【００８４】
顧客端末３から出墓地要求の通知があると（ステップＳ１１７）、バーチャル墓地サーバ１は、顧客端末３へのサービスを終了する。
【００８５】
墓参代行実施通知の電子メールが墓参代行業者端末７で受信されると、墓参代行業者等は、墓参代行実施通知を見て、顧客の実在の墓地の墓に赴き、墓参代行実施通知に記録されたのと同様の墓参の各種作法を代行実施する。この後、必要であれば、墓参の各種作法を代行実施した際の写真，ビデオ等を郵送するなり、電子メールに添付するなりして顧客に送付する。また、課金結果に基づく請求書を顧客の住所に郵送するなり、電子メールで送付するなりする。
【００８６】
以上説明したように、第１の実施の形態に係るバーチャル墓参システムによれば、顧客は墓参時に墓地に赴く必要がないので、墓地への往復移動の手間や労力が必要なくなる。特に、墓地が顧客の住居地から遠く離れた場所（たとえば、離島，外国等）にある場合，顧客が出かけることができないような場合（たとえば、入院中，療養中等）などには、墓地への往復の時間，移動費用等が必要なくなるので、遺族の墓参による負担が大幅に軽減される。
【００８７】
また、月毎の墓参には少ない作法内容だけを実行し、年一度の法事には多くの作法内容を実行するというように、顧客の用途に合わせて墓参の各種作法を選択的に実行することができるという効果がある。その理由は、墓参ページから墓参の各種作法内容を容易に選択できるようにしたからである。
【００８８】
さらに、墓参ページ上で顧客が墓参代行実施とバーチャル墓参とを選択できるようにしたことにより、命日，盆，彼岸等の重要な日には墓参代行実施を選択し、それほど重要でない日にはバーチャル墓参を選択して、重要度に応じて墓参代行実施とバーチャル墓参とを使い分けることができるという利点が生じる。
【００８９】
さらにまた、バーチャル墓地サーバから墓参代行業端末に墓参代行実施が電子メールでインターネットを介して通知されるようにしたので、バーチャル墓地サーバの管理者と墓参代行業者等とが同一の者である必要がなくなり、顧客が希望する墓参代行業者等を事前に指定することができるという利点がある。また、バーチャル墓地サーバの管理者にとっては、広い範囲に点在する墓地に自らが赴いて墓参を代行実施する必要がなくなり、墓地が存在する地元の墓参代行業者に墓参代行実施を委託することが可能となる。
【００９０】
一方、墓参代行業者等は墓参代行実施通知に基づいて墓参の代行実施を即応的に行うことができ、顧客へのサービス向上を図ることができる。
【００９１】
なお、第１の実施の形態では、顧客端末３でのバーチャル墓参の終了に同期して墓参代行実施を墓参代行業者端末７に通知するようにしたが、履歴データベース６を定期的に参照することにより定期的に墓参代行実施を墓参代行業者端末７に通知するようにしてもよい。たとえば、１日の終了時，開始時等に履歴データベース６を参照して当日または前日に更新された履歴データに基づく墓参代行実施を墓参代行業者端末７に一括して通知することができる。
【００９２】
ところで、図１においては、バーチャル墓地サーバ１を１つだけ図示したが、インターネット２に接続された複数のバーチャル墓地サーバ１のホームページ上で互いにリンクを張るようにすれば、容易にバーチャル墓参システムを拡張することが可能である。このようにすれば、全国規模のバーチャル墓参システムあるいは世界規模のバーチャル墓参システムを容易に実現することができ、世界中のどこからでも世界各国のバーチャル墓地への墓参が可能になる。
【００９３】
（２）  第２の実施の形態
図１９は、本発明の第２の実施の形態に係るバーチャル墓参システムの構成を示すブロック図である。本実施の形態に係るバーチャル墓参システムは、図１に示した第１の実施の形態に係るバーチャル墓参システムのバーチャル墓地サーバ１に対して、インターネット２に接続された銀行，クレジット会社等の決済機関８と課金の決済を行う決済手段１７をさらに付加してバーチャル墓地サーバ１’とした点が異なる。また、履歴データベース６を履歴データベース６’とした点が異なる。
【００９４】
図２０は、バーチャル墓地サーバ１’にアクセスしたときに顧客端末３に表示されるバーチャル墓地ホームページの一例を表す画面図である。このバーチャル墓地ホームページには、顧客名を入力するフィールドと、墓石ＩＤを入力するフィールドと、電子マネーの暗証番号等を入力するフィールドと、「入る」アイコンと、「出る」アイコンとが設けられている。なお、入墓地料が課金されることが表示されている。
【００９５】
図２１を参照すると、履歴データベース６’の履歴レコードには、図１７に示した履歴データベース６の履歴レコードに対して、電子マネーの暗証番号等を格納するフィールドが追加されている。
【００９６】
図２２は、バーチャル墓地サーバ１’の処理を示すフローチャートである。このフローチャートは、図１８に示したバーチャル墓地サーバ１の処理を示すフローチャートに対して、終了要求判定ステップＳ１０７の後に、課金決済ステップＳ１１３を付加した点だけが異なる。
【００９７】
なお、その他の部分は、第１の実施の形態に係るバーチャル墓参システムの対応する部分と全く同様に構成されているので、対応する部分には同一符号を付してそれらの詳しい説明を割愛する。
【００９８】
このように構成された第２の実施の形態に係るバーチャル墓参システムの動作は、図９の墓参ページにおいて顧客が「終了」アイコンをクリックした後に、履歴データベース６’中の履歴レコードを参照してバーチャル墓地サーバ１’と決済機関８との間でインターネット２を介して課金の電子マネーによる決済が行われる（ステップＳ１１３）点だけが異なる。課金の決済に用いられる電子マネーについては、電子証書型電子マネーであっても、残高管理型電子マネーであってもよく、その種類は本発明にとって本質的でないので、その詳しい説明を省略する（電子マネーの詳細については、相澤秀孝編著「電子マネーと特許法」，株式会社弘文堂，平成１１年４月３０日発行等を参照）。また、第２の実施の形態に係るバーチャル墓参システムでは、決済を電子マネーで行えるようにしたが、クレジット等の他の決済方法を利用することもできる。
【００９９】
第２の実施の形態に係るバーチャル墓参システムによれば、電子マネーによって即時に決済がなされるので、顧客にとって定期的な支払の手間が省けるとともに、墓参代行業者等にとっても代金回収の手間，リスク等が省けるという利点がある。
【０１００】
ところで、第２の実施の形態に係るバーチャル墓参システムのように、課金の決済が即時に行われるようにした場合、すでに登録された顧客ばかりでなく、未登録の第三者にも墓参を許容させるようにすることができる。たとえば、遠い親戚，近しい友人等にも、顧客名および墓石ＩＤを別途通知することによって、随時墓参してもらうことができる。さらには、著名人（たとえば、夏目漱石，芥川龍之介等）の墓がある場合には、バーチャル墓地ホームページ等に特定の顧客名および墓石ＩＤを掲示することにより、不特定多数の第三者に墓参してもらうことが可能になる。さらにいえば、著名人の墓石イメージだけを集めた完全にバーチャルなシステムを構築し、著名人墓探索システムとして利用に供することもできる。
【０１０１】
（３）  第１および第２の実施の形態の変形例
図２３は、本発明の第１および２の実施の形態に係るバーチャル墓参システムの変形例において顧客端末３に表示される墓参ページの一例を示す図である。図３に示した第１および２の実施の形態に係るバーチャル墓参システムにおける墓参ページでは、各種作法アイコンを設けて図４ないし図８の各種作法の作法内容選択ページを顧客端末３に送信させて各種作法の作法内容を選択するようにしていたが、本変形例では、墓参ページに各種作法の作法内容を選択するチェックボタン（以下、各種作法選択ボタンという），代行実施／バーチャル選択ボタンおよび故人名を入力するフィールドを設け、顧客が必要とする作法内容をチェックし、代行実施／バーチャルの別を選択するとともに故人名を入力した後に開始アイコンをクリックすることにより、バーチャル墓地サーバ１および１’から要求された各種作法アプレットの一括送信を受け、同時にこれら各種作法アプレットの動作が開始されるようにしている。
【０１０２】
第１および第２の実施の形態に係るバーチャル墓参システムの変形例の構成では、図２４および図２６に示すように、バーチャル墓地サーバ１および１’に作法内容選択ページ送信手段１３が不要になる。また、バーチャル墓地サーバ１および１’の処理を示すフローチャートは、図２５および図２７に示すように、ステップＳ１０８〜Ｓ１１２を、開始要求判定ステップＳ１１８，作法アプレット一括送信ステップＳ１１９，および履歴レコード一括更新ステップＳ１２０に置き換えたものとなる。
【０１０３】
これら変形例では、顧客が墓参ページにおいて必要とする作法内容をチェックするとともに故人名を入力した後に開始アイコンをクリックすると、顧客端末３から各作法内容，故人名等を含む開始要求がバーチャル墓地サーバ１および１’に送信される。バーチャル墓地サーバ１および１’は、開始要求を受信すると（ステップＳ１１８）、該当する各種作法アプレットを顧客データベース４および作法データベース５から取り出して顧客端末３に一括送信し（ステップＳ１１９）、履歴データベース６および６’の履歴レコードを作法アプレットの送信および課金を反映するように一括更新する（ステップＳ１２０）。顧客端末３では、各種作法アプレットの一括送信を受けると、これら各種作法アプレットの動作を開始する。
【０１０４】
（４）  第３の実施の形態
図２８は、本発明の第３の実施の形態に係るバーチャル墓参システムの構成を示すブロック図である。本実施の形態に係るバーチャル墓参システムは、図１に示した第１の実施の形態に係るバーチャル墓参システムのバーチャル墓地サーバ１に対してバーチャル墓地サーバプログラム１００を備えるようにした点のみが異なっている。
【０１０５】
このような第３の実施の形態に係るバーチャル墓参システムでは、バーチャル墓地サーバプログラム１００がバーチャル墓地サーバ１に読み込まれ、ホームページ送信手段１０，顧客確認手段１１，墓参ページ送信手段１２，作法内容選択ページ送信手段１３，作法アプレット送信手段１４，履歴データ記録手段１５，および墓参代行実施通知手段１６として動作する。これら各手段の詳しい動作は、第１の実施の形態に係るバーチャル墓参システムのバーチャル墓地サーバ１における各手段の動作と全く同様になるので、その詳しい説明を割愛する。
【０１０６】
（５）  第４の実施の形態
図２９は、本発明の第４の実施の形態に係るバーチャル墓参システムの構成を示すブロック図である。本実施の形態に係るバーチャル墓参システムは、図１９に示した第２の実施の形態に係るバーチャル墓参システムのバーチャル墓地サーバ１’に対してバーチャル墓地サーバプログラム２００を備えるようにした点が異なっている。
【０１０７】
このような第４の実施の形態に係るバーチャル墓参システムでは、バーチャル墓地サーバプログラム２００がバーチャル墓地サーバ１’に読み込まれ、ホームページ送信手段１０，顧客確認手段１１，墓参ページ送信手段１２，作法内容選択ページ送信手段１３，作法アプレット送信手段１４，履歴データ記録手段１５，墓参代行実施通知手段１６および決済手段１７として動作する。これら各手段の詳しい動作は、第２の実施の形態に係るバーチャル墓参システムのバーチャル墓地サーバ１’における各手段の動作と全く同様になるので、その詳しい説明を割愛する。
【０１０８】
（６）  第３および第４の実施の形態の変形例
図３０および図３１は、本発明の第３および第４の実施の形態に係るバーチャル墓参システムの変形例の構成をそれぞれ示すブロック図である。これら実施の形態に係るバーチャル墓参システムの変形例は、図２４および図２６に示した第３および４の実施の形態に係るバーチャル墓参システムのバーチャル墓地サーバ１および１’に対してバーチャル墓地サーバプログラム１００’および２００’をそれぞれ備えるようにした点のみが異なっている。
【０１０９】
このような第３および第４の実施の形態に係るバーチャル墓参システムでは、バーチャル墓地サーバプログラム１００’および２００’がバーチャル墓地サーバ１および１’に読み込まれ、ホームページ送信手段１０，顧客確認手段１１，墓参ページ送信手段１２，作法アプレット送信手段１４，履歴データ記録手段１５および墓参代行実施通知手段１６（ならびに決済手段１７）として動作する。これら各手段の詳しい動作は、第３および４の実施の形態に係るバーチャル墓参システムのバーチャル墓地サーバ１および１’における各手段の動作と全く同様になるので、その詳しい説明を割愛する。
【０１１０】
ところで、上記各実施の形態では、仏教に基づいて設けられた墓地および墓石を前提として説明したが、墓地および墓石がキリスト教，イスラム教等の他の宗教や、真言宗，浄土宗等の異なる宗派に基づいて設けられたものであっても、本発明を全く同様に適用することができることはいうまでもない。
【０１１１】
【発明の効果】
本発明によれば、顧客は墓参時に墓地に赴く必要がないので、墓地への往復移動の手間や労力が必要なくなるという効果がある。特に、墓地が顧客の住居地から遠く離れた場所にある場合，顧客が現在地から離れることができない場合等には、墓地への往復の時間，移動費用等が必要なくなるので、遺族の墓参による負担が大幅に軽減されるという利点が大きい。
【０１１２】
また、月毎の墓参には少ない作法内容だけを実行し、年一度の法事には多くの作法内容を実行するというように、顧客の用途に合わせて墓参の各種作法を選択的に実行することができるという効果がある。その理由は、墓参ページから墓参の各種作法内容を容易に選択できるようにしたからである。
【０１１３】
さらに、墓参ページ上で顧客が墓参代行実施とバーチャル墓参とを選択できるようにしたことにより、命日，盆，彼岸等の重要な日には墓参代行実施を選択し、それほど重要でない日にはバーチャル墓参を選択して、重要度に応じて墓参代行実施とバーチャル墓参とを使い分けることができる効果がある。
【０１１４】
さらにまた、バーチャル墓地サーバから墓参代行業端末に墓参代行実施がインターネットを介して通知されるようにしたので、バーチャル墓地サーバの管理者と墓参代行業者等とが同一の者である必要がなくなり、顧客が希望する墓参代行業者等を事前に指定することができる効果がある。また、バーチャル墓地サーバの管理者にとっては、広い範囲に点在する墓地に自らが赴いて墓参を代行実施する必要がなくなり、墓地が存在する地元の墓参代行業者に墓参代行実施を委託することが可能となる。
【０１１５】
一方、墓参代行業者等は墓参代行実施通知に基づいて墓参の代行実施を即応的に行うことができ、顧客へのサービス向上を図ることができる。
【図面の簡単な説明】
【図１】本発明の第１の実施の形態に係るバーチャル墓参システムの全体構成を示すブロック図である。
【図２】図１中の顧客端末に表示されるバーチャル墓地ホームページの一例を表す画面図である。
【図３】図１中の顧客端末に表示される墓参ページの一例を表す画面図である。
【図４】図３の墓参ページにおいて墓掃除アイコンをクリックしたときに顧客端末に表示される墓掃除内容選択ページの一例を表す画面図である。
【図５】図３の墓参ページにおいて焼香アイコンをクリックしたときに顧客端末に表示される焼香内容選択ページの一例を表す画面図である。
【図６】図３の墓参ページにおいて御供えアイコンをクリックしたときに顧客端末に表示される御供え内容選択ページの一例を表す画面図である。
【図７】図３の墓参ページにおいて読経アイコンをクリックしたときに顧客端末に表示される読経内容選択ページの一例を表す画面図である。
【図８】図３の墓参ページにおいて遺影アイコンをクリックしたときに顧客端末に表示される遺影内容選択ページの一例を表す画面図である。
【図９】図３の墓参ページにおいて各種作法アイコンで墓参の各種作法を選択した後の墓参ページの一例を示す画面図である。
【図１０】図１中の顧客データベースの顧客レコードの内容を例示する図である。
【図１１】図１０中の故人ファイルの内容を例示する図である。
【図１２】図１中の作法データベース中の各種作法ファイルを例示する図である。
【図１３】図１２中の墓掃除ファイルに格納されているレコードを例示する図である。
【図１４】図１２中の焼香ファイルに格納されているレコードを例示する図である。
【図１５】図１２中の御供えファイルに格納されているレコードを例示する図である。
【図１６】図１２中の読経ファイルに格納されているレコードを例示する図である。
【図１７】図１中の履歴データベースに格納されている履歴レコードの内容を例示する図である。
【図１８】図１中のバーチャル墓地サーバの処理を示すフローチャートである。
【図１９】本発明の第２の実施の形態に係るバーチャル墓参システムの全体構成を示すブロック図である。
【図２０】図１９中の顧客端末に表示されるバーチャル墓地ホームページの一例を表す画面図である。
【図２１】図１９中の履歴データベースに格納されている履歴レコードの内容を例示する図である。
【図２２】図１９中のバーチャル墓地サーバの処理を示すフローチャートである。
【図２３】第１および２の実施の形態に係るバーチャル墓参システムの変形例において顧客端末に表示される墓参ページの一例を示す図である。
【図２４】第１の実施の形態に係るバーチャル墓参システムの変形例の構成を示すブロック図である。
【図２５】第１の実施の形態に係るバーチャル墓参システムの変形例におけるバーチャル墓地サーバの処理を示すフローチャートである。
【図２６】第２の実施の形態に係るバーチャル墓参システムの変形例の構成を示すブロック図である。
【図２７】第２の実施の形態に係るバーチャル墓参システムの変形例におけるバーチャル墓地サーバの処理を示すフローチャートである。
【図２８】本発明の第３の実施の形態に係るバーチャル墓参システムの構成を示すブロック図である。
【図２９】本発明の第４の実施の形態に係るバーチャル墓参システムの構成を示すブロック図である。
【図３０】本発明の第３の実施の形態に係るバーチャル墓参システムの変形例の構成を示すブロック図である。
【図３１】本発明の第４の実施の形態に係るバーチャル墓参システムの変形例の構成を示すブロック図である。
【符号の説明】
１，１’  バーチャル墓地サーバ
２  インターネット
３  顧客端末
４  顧客データベース
５  作法データベース
６  履歴データベース
７  墓参代行業者端末
８  決済機関
１０  ホームページ送信手段
１１  顧客確認手段
１２  墓参ページ送信手段
１３  作法内容選択ページ送信手段
１４  作法アプレット送信手段
１５  履歴データ記録手段
１６  墓参代行実施通知手段
１７  決済手段
４１  故人ファイル
５１  墓掃除ファイル
５２  焼香ファイル
５３  御供えファイル
５４  読経ファイル
１００，２００  記録媒体
１００’，２００’  記録媒体
【図１】
0003621049.tif 000002
【図２】
0003621049.tif 000003
【図３】
0003621049.tif 000004
【図４】
0003621049.tif 000005
【図５】
0003621049.tif 000006
【図６】
0003621049.tif 000007
【図７】
0003621049.tif 000008
【図８】
0003621049.tif 000009
【図９】
0003621049.tif 000010
【図１０】
0003621049.tif 000011
【図１１】
0003621049.tif 000012
【図１２】
0003621049.tif 000013
【図１３】
0003621049.tif 000014
【図１４】
0003621049.tif 000015
【図１５】
0003621049.tif 000016
【図１６】
0003621049.tif 000017
【図１７】
0003621049.tif 000018
【図１８】
0003621049.tif 000019
【図１９】
0003621049.tif 000020
【図２０】
0003621049.tif 000021
【図２１】
0003621049.tif 000022
【図２２】
0003621049.tif 000023
【図２３】
0003621049.tif 000024
【図２４】
0003621049.tif 000025
【図２５】
0003621049.tif 000026
【図２６】
0003621049.tif 000027
【図２７】
0003621049.tif 000028
【図２８】
0003621049.tif 000029
【図２９】
0003621049.tif 000030
【図３０】
0003621049.tif 000031
【図３１】
0003621049.tif 000032